【手続補正書】
【提出日】平成20年3月31日(2008.3.31)
【手続補正１】
【補正対象書類名】特許請求の範囲
【補正対象項目名】全文
【補正方法】変更
【補正の内容】
【特許請求の範囲】
【請求項１】
場内の視聴者がプレゼンテーション装置に表示された画像を見ることができるように該プレゼンテーション装置の各々が配置された前記場内の複数のプレゼンテーション装置を使用する方法であって、
制御インタフェースを設けるステップと、
表示される画像が装置個別の画像である前記プレゼンテーション装置のそれぞれに画像を表示するステップと、
前記表示された画像を記録する指示を検出するため前記制御インタフェースをモニタするステップと、
前記表示された画像を記録する指示が受信されると、プレゼンテーション装置ごとに表示された前記装置個別の画像を装置識別子と関連づけ画像装置セットを形成するステップと、
前記装置の全ての前記画像装置セットを会議画像セットとして記録するステップと、
を含む表示された画像を管理する方法。
【請求項２】
前記表示された画像を記録する指示が受信されると、前記プレゼンテーション装置から前記装置個別の画像を消去するステップを更に含む請求項１に記載の方法。
【請求項３】
その後、レジュームコマンドを検知するため前記制御インタフェースをモニタし、レジュームコマンドが受信されると、前記記録された会議画像セットにアクセスし、各画像装置セット中の前記装置個別の画像を関連する前記画像装置セットに示された前記装置により表示するステップを更に含む請求項１に記載の方法。
【請求項４】
前記表示された画像を記録する指示が受信されると、前記会議画像セットを記録するより前に、会議識別子を該会議画像セットに割り当て、該会議識別子とともに該会議画像セットを記録するステップを更に含む請求項１に記載の方法。
【請求項５】
前記割り当てるステップが、ランダム識別子を前記会議画像セットに割り当て、該ランダム識別子を前記プレゼンテーション装置の一つに表示するステップを含む請求項４に記載の方法。
【請求項６】
前記割り当てるステップが、会議識別子をシステムユーザから受信するステップを含む請求項４に記載の方法。
【請求項７】
その後、レジュームコマンドを検知するため前記制御インタフェースをモニタし、レジュームコマンドが受信されると、会議識別子をモニタし、会議識別子が受信されると、前記受信された会議識別子と関連づけた前記記録された会議画像セットにアクセスし、前記会議画像セット中の各画像装置セットの前記装置個別の画像を関連する前記画像装置セットに示された前記装置によって表示するステップを更に含む請求項４に記載の方法。
【請求項８】
主プレゼンテーション装置とともに、少なくとも第１の従プレゼンテーション装置、通信ネットワーク及び制御インタフェースを用いた方法であって、前記主装置がプロセッサ及び主画面を備え、前記従装置が従画面を備えており、
場内の視聴者が見られるように、該場内に前記主画面を配置するステップと、
前記従画面によって表示される画像が前記場内の視聴者に見られるように該場内に前記従画面を配置するステップと、
前記主画面に表示された画像を前記従画面に表示する指示を検知するため前記制御インタフェースをモニタするステップと、
前記主画面に表示された前記画像を前記従画面に表示する指示を受信すると、前記通信ネットワークを介して前記主画面に表示された前記画像を前記従装置に表示するため送信するステップと、
を含む場内の視聴者に画像を表示する方法。
【請求項９】
前記従装置への送信の後、該送信した画像を前記従画面に表示するステップを更に含む請求項８に記載の方法。
【請求項１０】
前記主画面に表示された前記画像を前記従画面に表示する指示を受信した後、前記主画面上の画像を消去するステップを更に含む請求項８に記載の方法。
【請求項１１】
さらに少なくとも第２の従画面を備える第２の従プレゼンテーション装置とともに使用する方法であって、前記制御インタフェースが、前記主画面に表示された画像を送信する先に前記従画面の特定の一つを指定するのに使用でき、前記方法が、前記画像を前記主装置から送信する指示を受信すると、前記従装置の何れに前記主画像を送信するか決定するステップを更に含む請求項９に記載の方法。
【請求項１２】
前記制御インタフェースが前記主画面に表示された画像を拡大するのに使用でき、拡大作業を検知するため前記制御インタフェースをモニタし、拡大作業が指示されるとそれに応じて前記主画像を拡大するステップを更に含む請求項８に記載の方法。
【請求項１３】
前記主画面に表示された画像を前記従画面に表示する指示のあと、前記画像を特定の識別子と関連づけてメモリに記録するステップを更に含む請求項８に記載の方法。
【請求項１４】
前記特定の識別子が特定の画像識別子である請求項１３に記載の方法。
【請求項１５】
前記従装置に送信の後、前記従画面に前記送信された画像を表示するステップを更に含み、前記従装置が前記主装置により送信された画像を表示する際、前記画像識別子を前記表示された画像と関連づける形で前記従装置が前記特定の画像識別子を示すステップを更に含む請求項１４に記載の方法。
【請求項１６】
前記識別子を前記表示された画像と共に表示することで前記識別子が示される請求項１５に記載の方法。
【請求項１７】
画像が記録された後、前記特定の識別子と関連づけされた前記画像に再アクセスして主画面に再表示する指示を検知するため前記インタフェースをモニタし、再表示の指示が受信されると、前記主画面に前記画像を表示するステップを更に含む請求項１３に記載の方法。
【請求項１８】
前記従画面に表示された画像が前記主画面に再表示されると、該画像を前記従装置から消去する請求項１７に記載の方法。
【請求項１９】
前記主画面に表示の画像を前記従画面に表示する指示を検知するため前記インタフェースをモニタする前記ステップが、前記画像を送信する前記従装置の特定の一つを指定するコマンドをモニタするステップを含み、前記特定の識別子が前記主画面の前記画像を送信する前記従装置を示す特定のプレゼンテーション装置識別子である請求項１３に記載の方法。
【請求項２０】
前記従装置の各々が特定の装置識別子と関連づけられ、前記従装置の各々がその識別子をシステムユーザが見ることのできる形で表示する請求項１９に記載のシステム。
【請求項２１】
制御インタフェースと、
平面パネルディスプレー画面及びプロセッサを備えており、該画面が主領域を有する主プレゼンテーション装置と、
従領域及び該従領域に画像を投写する第１のプロジェクターを備える従プレゼンテーションアセンブリと、を備え、
前記主装置のプロセッサが前記制御インタフェースと接続可能でそこからコマンドを受信し、該プロセッサが前記主領域から前記従領域へ画像を切り替える前記インタフェースからのコマンドをモニタするようプログラムされ、画像を切り替えるコマンドが受信されると、前記主領域の前記画像を前記従領域に表示させる場内の視聴者に情報を表示するプレゼンテーションシステム。
【請求項２２】
前記従領域が少なくとも二つの別個の従領域に分割され、前記プロジェクターが前記第１と第２の従領域の各々に別個の画像を投写する請求項２１に記載のシステム。
【請求項２３】
前記インタフェースが前記第１の従領域と第２の従領域の何れかへの切り替えを進める制御手段を含み、対応する制御手段が選択されると、前記プロセッサが前記選択された前記第１の従領域と第２の従領域の一方へ切り替える請求項２２に記載のシステム。
【請求項２４】
前記インタフェースが画像を前記第１の従領域と第２の従領域の何れかから前記主領域へ戻す読み出しを進める制御手段を含み、対応する制御手段が選択されると、前記プロセッサが前記選択された前記第１の従装置と第２の従装置の一方から前記主領域に画像を表示する請求項２３に記載のシステム。
【請求項２５】
少なくとも第２のプロジェクターを更に備え、前記第１のプロジェクターが前記従領域の第１部分に画像を投写し、前記第２のプロジェクターが前記従領域の第２部分に画像を投写し、前記プロセッサが画像を前記主領域から前記従領域の前記第１部分と第２部分のどちらかへ切り替える前記インタフェースからのコマンドをモニタするようにプログラムされ、画像を前記第１と第２部分の一方へ切り替えるコマンドが受信されると、前記主領域の前記画像を前記従領域の第１部分と第２部分の一方に表示させる請求項２１に記載のシステム。
【請求項２６】
前記従領域の第１部分が第１と第２の別個の従領域に分割され、前記従領域の第２部分が第３と第４の別個の従領域に分割され、前記第１のプロジェクターと第２のプロジェクターが、それぞれ前記第１と第２の従領域と、前記第３と第４の従領域に別個の画像を投写する請求項２５に記載のシステム。
【請求項２７】
前記インタフェースが前記第１、第２、第３及び第４の従領域の何れか一つに切り替えを進める制御手段を含み、対応する制御手段が選択されると、前記プロセッサが前記選択された前記第１、第２、第３及び第４の従領域の一つへ切り替える請求項２６に記載のシステム。
【請求項２８】
前記インタフェースが前記主画面の表面に近接して行う操作を検知するセンサを備える請求項２１に記載のシステム。
【請求項２９】
前記インタフェースが前記主ディスプレー画面に表示されたアイコンを備え、前記センサがアイコンの選択操作をモニタする請求項２８に記載のシステム。
【請求項３０】
前記アイコンが少なくとも一つの従領域への切り替えアイコンを含む請求項２９に記載のシステム。
【請求項３１】
前記アイコンが少なくとも一つの従領域からの読み出しアイコンを含む請求項２９に記載のシステム。
【請求項３２】
前記プロセッサが、前記従領域の画像を前記主画面に読み出す前記インタフェースからのコマンドをモニタするように更にプログラムされ、画像読み出しコマンドが受信されると、前記画像を前記主画面に表示する請求項２１に記載のシステム。
【請求項３３】
前記プロセッサが、画像を読み出すコマンドを受信すると、前記従領域の前記画像を消去するよう更にプログラムされている請求項３２に記載のシステム。